(57)【要約】【課題】気密性を高めたエレベータにおいて、救出扉を構成する内扉及び外扉のうち一方の扉に変位が生じても、その変位によって他方の扉が変位することを防止する。【解決手段】かご室（１）と、救出口（５）と、救出扉（８）と、救出扉を施錠する施錠装置（１３）と、施錠装置を開錠するハンドル（１１）と、を備えたエレベータにおいて、施錠装置は、内扉（６）に取り付けられ、軸（Ｙ）周りに回動する第１部材（１４）と、外扉（７）に取り付けられ、ハンドルと連動して軸（Ｙ）周りに回動すると共に、第１部材（１４）と係合する第２部材（１５）と、を有し、第１部材（１４）と第２部材（１５）とは、互いに係合した状態で、軸（Ｙ）周りに一体となって回動すると共に軸（Ｙ）方向に相対的に移動するよう構成される。【選択図】図４
2014218354.tif 000002
【特許請求の範囲】
【請求項１】
内壁と外壁との多重構造により気密性を高めたかご室と、前記内壁と前記外壁とを貫いて形成される救出口と、前記救出口に開閉自在に設けられ、内扉及び外扉を有する多重構造の救出扉と、前記救出扉を施錠する施錠装置と、前記外扉の外面に設けられ、前記外扉の外面に略直交する軸周りに回動して前記施錠装置を開錠するハンドルと、を備えたエレベータにおいて、
前記施錠装置は、
前記内扉に取り付けられ、前記軸周りに回動する第１部材と、
前記外扉に取り付けられ、前記ハンドルと連動して前記軸周りに回動すると共に、前記第１部材と係合する第２部材と、を有し、
前記第１部材と前記第２部材とは、互いに係合した状態で、前記軸周りに一体となって回動すると共に前記軸方向に相対的に移動するよう構成される
ことを特徴とするエレベータ。
【請求項２】
請求項１において、
前記第１部材及び前記第２部材のうち一方は前記軸方向に突出する第１円筒体、他方は前記第１円筒体の外側に嵌められる第２円筒体であり、
前記第１円筒体及び前記第２円筒体のうち一方には、前記軸方向に沿って突条が設けられ、他方には前記突条と係合する長溝が設けられる
ことを特徴とするエレベータ。
【発明の詳細な説明】
【技術分野】
【０００１】
本発明は、かご室内の気密性を高めたエレベータに関する。
【背景技術】
【０００２】
一般に、気密性が要求されるエレベータのかご室は、内壁と外壁の多重構造となっており、かご室に設けられた非常用の救出扉も、内扉と外扉の多重構造となっている。救出扉は施錠装置によってロックされている。救出扉を開けるためには、かご室の外側からハンドルを回して施錠装置を開錠するか、かご室内から鍵穴に鍵を挿入して施錠装置を開錠する必要がある（特許文献１参照）。
【先行技術文献】
【特許文献】
【０００３】
【特許文献１】特許第４７３２５７７号公報
【発明の概要】
【発明が解決しようとする課題】
【０００４】
しかしながら、特許文献１では、外扉と内扉との間に施錠装置が設けられ、両扉が施錠装置を介して一体的に連結される構成である。そのため、例えば、かご内外の差圧等により外扉が変位すると、外扉の変位が施錠装置を介して内扉に伝わる。その結果、特許文献１では、外圧を受けた外扉の変位によって内扉が変位し、かご室内の衣装面が損なわれる可能性があるという課題がある。
【０００５】
本発明は、上記課題を解決するためになされたものであり、その目的は、気密性を高めたエレベータにおいて、救出扉を構成する内扉及び外扉のうち一方の扉に変位が生じても、その変位によって他方の扉が変位することを防止することにある。
【課題を解決するための手段】
【０００６】
上記目的を達成するために、本発明は、内壁と外壁との多重構造により気密性を高めたかご室と、前記内壁と前記外壁とを貫いて形成される救出口と、前記救出口に開閉自在に設けられ、内扉及び外扉を有する多重構造の救出扉と、前記救出扉を施錠する施錠装置と、前記外扉の外面に設けられ、前記外扉の外面に略直交する軸周りに回動して前記施錠装置を開錠するハンドルと、を備えたエレベータにおいて、前記施錠装置は、前記内扉に取り付けられ、前記軸周りに回動する第１部材と、前記外扉に取り付けられ、前記ハンドルと連動して前記軸周りに回動すると共に、前記第１部材と係合する第２部材と、を有し、前記第１部材と前記第２部材とは、互いに係合した状態で、前記軸周りに一体となって回動すると共に前記軸方向に相対的に移動するよう構成されることを特徴としている。
【発明の効果】
【０００７】
本発明によれば、上記した構成を備えているから、内扉及び外扉のうち一方の扉に変位が生じても、その変位によって他方の扉が変位することを防止できる。なお、上記した以外の課題、構成及び効果は、以下の実施形態の説明により明らかにされる。
【図面の簡単な説明】
【０００８】
【図１】本発明の実施形態に係るエレベータの外観斜視図である。
【図２】図１に示すエレベータの救出扉の平断面図である。
【図３】図２に示す救出扉の要部の正面図である。
【図４】図２に示す施錠装置の縦断面図である。
【図５】図４に示す施錠装置の内筒のＡ−Ａ断面図である。
【図６】図４に示す施錠装置の回転外筒のＡ−Ａ断面図である。
【図７】図２に示す施錠装置の変形例を示す縦断面図である。
【発明を実施するための形態】
【０００９】
以下、図面を参照し、本発明の実施形態について説明する。図１は本発明の実施形態に係るエレベータＥＶの外観斜視図であり、図２は図１に示す救出扉８の平断面図であり、図３は救出扉８に取り付けられたハンドル１１部分を含む要部の正面図である。また、図４は本発明の実施形態に係るエレベータＥＶに用いられる施錠装置１３の縦断面図であり、図５は図４に示す施錠装置１３の内筒１４のＡ−Ａ断面図、図６は図４に示す施錠装置１３の回転外筒１５のＡ−Ａ断面図である。
【００１０】
図１に示すように、本発明の実施形態に係るエレベータＥＶは、かご室１が図示しないガイドレールに沿って昇降するよう構成されている。より詳細には、かご室１の上下左右には案内装置２が設けられており、案内装置２が昇降路に設置された図示しないガイドレールに係合することで、かご室１はガイドレールに沿って昇降する。また、かご室１の側壁には、停電等によってエレベータＥＶが停止したような場合に乗客を救出するための救出口５が形成されており、その救出口５には救出扉８が開閉自在に設けられている。ただし、救出扉８は、後述する施錠装置１３によって閉じた状態にロックされている。
【００１１】
かご室１は、図２に示すように内壁４ａ及び外壁４ｂからなる多重構造となっており、かご室１の内壁４ａ及び外壁４ｂを貫いて救出口５が形成されている。この救出口５に設けられる救出扉８は、内扉６及び外扉７を有する多重構造である。内扉６は、内壁４ａに設けられたヒンジ９によってかご室１の内側に開けることができる。外扉７は、内扉６と一体となるよう取り付けられており、同じくヒンジ９によって、内扉６と一体でかご室１の内側に開くことができるように構成されている。すなわち、救出扉８は、救出口５を遮蔽するように取り付けられ、ヒンジ９を中心として開閉する構成である。なお、外扉７の外周部には、救出口５の内周部５ａと密着してかご室１内を密閉状態とするためのパッキン１０が取り付けられている。
【００１２】
さらに、内扉６と外扉７との間には救出扉８を施錠するための施錠装置１３が設けられている。施錠装置１３は、図４に示すように、外筒１７と、内筒（第１部材、第１円筒体）１４と、回転外筒（第２部材、第２円筒体）１５と、固定板１１ａと、を備えている。
【００１３】
固定板１１ａは、細長い板状に形成され、ハンドル１１のボス１１ｂの端面１１ｃに一体的に取り付けられる。そして、ハンドル１１を回すと、固定板１１ａも回転軸Ｙを中心に回転する構成となっている。なお、回転軸Ｙは、図４に示すように、外扉１１の外面に対して略直角の方向に延在している。
【００１４】
また、図３に示すように、ハンドル１１が実線で示す位置にあるとき、固定板１１ａが外壁４ｂの開口縁部に設けられた係止部材１２に当接し、ハンドル１１の固定板１１ａと外扉７とにより、この係止部材１２を挟持し外扉７の閉止状態を保持する。具体的には、係止部材１２は、パッキン１０を介して、外扉７の側縁に設けられたＬ字状の部材７ａと固定板１１ａとにより挟持されている（図２参照）。そして、ハンドル１１が二点鎖線で示す位置にあるとき、固定板１１ａと係止部材１２との係合が解除される。即ち、救出扉８が開錠される。
【００１５】
図４に説明を戻すと、外筒１７は、内扉６に嵌合されて、内筒１４を回転自在に保持する。内筒１４は、円筒体で構成され、その内部に所定の鍵を挿入するための鍵穴１６が形成されている。そして、鍵穴１６に図示しない鍵を挿入して回すと、内筒１４は回転軸Ｙの周りに回転する。即ち、施錠装置１３はシリンダ錠の如き構成となっている。さらに、内筒１４は、内扉６を貫通して外扉７側まで延びており、外扉７側の端部には、図４に示すように突条１４ａが設けられている。突条１４ａは、図５に示すように、内筒１４の円周方向に４等分した位置に１つずつ、合計４つ設けられている。
【００１６】
回転外筒１５は、図４に示すように、ハンドル１１のボス１１ｂの端面１１ｃから内扉６側に延びるようにボス１１ｂと一体的に設けられている。そして、回転外筒１５は、内扉６と外扉７とが重なった状態において、内筒１４と同軸上に配置される。また、回転外筒１５は、その内部に長溝１５ａが設けられている。長溝１５ａは、図６に示すように、回転外筒１５の円周方向に４等分した位置に１つずつ、合計４つ設けられている。長溝１５ａは突条１４ａより若干大きい形状で形成されている。そのため、内筒１４を回転外筒１５に挿入すると、突条１４ａが長溝１５ａ内を回転軸Ｙの方向にスライド移動することができる。
【００１７】
内筒１４と回転外筒１５との係合状態についてさらに説明すると、内筒１４と回転外筒１５とが係合する位置は、内扉６と外扉７との間である。この構成によれば、目視確認しながら内筒１４を回転外筒１５に挿入できるため、施錠装置１３の取付け作業が容易である。加えて、既存のエレベータの施錠装置に代えて本実施形態に係る施錠装置１３を取り付けるだけで良いため、互換性も高い。
【００１８】
また、回転軸Ｙを中心に内筒１４を回転させると、突条１４ａが長溝１５ａと係合して、内筒１４と回転外筒１５とが一体となって回転軸Ｙの周りに回転する。そのため、鍵穴１６に鍵を挿入して内筒１４を回転させることにより、回転外筒１５を回転させることができる。そして、固定板１１ａと係止部材１２との係合が解除される位置（図３の二点鎖線の位置）まで固定板１１ａが回転することにより、救出扉８が開錠される。こうして、かご室１内から鍵によって救出扉８を開けることができる。
【００１９】
さらに、突条１４ａと長溝１５ａとは若干の隙間が形成されているため、内筒１４と回転外筒１５とは相対的に回転軸Ｙの方向に移動可能である。そのため、例えば、外扉７が外圧を受けて内扉６側に変形しても、回転外筒１５が回転軸Ｙの方向にスライドすることによって、内筒１４は回転外筒１５のスライドに内扉６側に押されることはない。つまり、本実施形態は、内筒１４と回転外筒１５とが回転軸Ｙの方向に相対的に移動することにより、回転軸Ｙの方向に掛かる変形を吸収しているのである。
【００２０】
以上説明したように、本実施形態によれば、外扉７に回転軸Ｙ方向に変位しても、内扉６に伝達されないため、内扉６に変位が生じることはない。よって、内扉６の意匠面がダメージを受けることがない。さらには、かご室１の走行時における外扉７の振動が内扉６に伝達され難いといった効果も奏し得る。
【００２１】
なお、上述した実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。例えば、図７に施錠装置１３の変形例を示す。図７に示すように、変形例に係る施錠装置１３は、内筒１４と回転外筒１５との係合位置が外扉７の内部にある点に特徴がある。この構成によれば、内筒１４と回転外筒１５とが係合する部分にゴミ等が入り難いといった利点がある。
【００２２】
突条１４ａと長溝１５ａの数、形状についても、種々の変形が可能である。また、上記した施錠装置１３では、内筒１４に突条１４ａを設け、回転外筒１５に長溝１５ａを設ける構成としたが、内筒１４の外周面に長溝１５ａを設け、回転外筒１５の内周面に突条１４ａを設ける構成としても良い。また、内筒１４を回転外筒１５に挿入する構成に代えて、回転外筒１５を内筒１４に挿入する構成としても良い。即ち、内筒１４が回転外筒１５に外嵌される構成としても良い。このような変形をしても、上記した実施形態と同様の効果を奏し得る。
【符号の説明】
【００２３】
１  かご室
４ａ  内壁
４ｂ  外壁  
５  救出口
６  内扉
７  外扉
８  救出扉
１１  ハンドル
１３  施錠装置
１４  内筒（第１部材、第１円筒体）
１４ａ  突条
１５  回転外筒（第２部材、第２円筒体）
１５ａ  長溝
１７  外筒
ＥＶ  エレベータ
Ｙ  回転軸（軸）
【図１】
2014218354.tif 000003
【図２】
2014218354.tif 000004
【図３】
2014218354.tif 000005
【図４】
2014218354.tif 000006
【図５】
2014218354.tif 000007
【図６】
2014218354.tif 000008
【図７】
2014218354.tif 000009